(57)【要約】【課題】工程間の排熱回収、蓄熱、利用のタイミングを考慮して、最適な排熱利用装置の選択を含めてエネルギー供給システムを最適化する。【解決手段】熱源機器を利用した工程に関する情報を記憶した工程データベース１０２ａと、導入予定の排熱利用装置に関する情報を記憶した排熱利用装置データベース１０２ｂと、を参照して、工程間の排熱の回収、蓄熱及び利用のタイミングを考慮したエネルギーフローの最適化手法を用いて、未利用排熱量又は金銭コストを最小化するために導入する排熱利用装置を排熱利用装置データベース１０２ｂに記憶されている排熱利用装置から選定する。【選択図】図１
2019053546.tif 000002
【特許請求の範囲】
【請求項１】
エネルギー供給システムの最適化装置であって、
それぞれ記憶装置に記憶された、熱源機器を利用した工程に関する情報を記憶した工程データベースと、導入予定の排熱利用装置に関する情報を記憶した排熱利用装置データベースと、を参照して、工程間の排熱の回収、蓄熱及び利用のタイミングを考慮したエネルギーフローの最適化手法を用いて、未利用排熱量又は金銭コストを最小化するために導入する排熱利用装置を前記排熱利用装置データベースに記憶されている排熱利用装置から選定することを特徴とするエネルギー供給システムの最適化装置。
【請求項２】
請求項１に記載のエネルギー供給システムの最適化装置であって、
前記排熱利用装置データベースは、排熱利用装置の蓄放熱機能を分類して記憶しており、排熱利用装置毎の蓄放熱機能の分類による排熱の回収、蓄熱及び利用のタイミングを考慮した混合整数計画問題として未利用排熱量又は金銭コストを最小化する排熱利用装置を前記排熱利用装置データベースに記憶されている排熱利用装置から選定することを特徴とするエネルギー供給システムの最適化装置。
【請求項３】
請求項１又は２に記載のエネルギー供給システムの最適化装置であって、
前記工程データベースは、工程毎の１次エネルギー、エネルギー需要量、エネルギー価格、工程温度、排熱量、排熱温度、排熱形態及び再利用熱需要形態に関する情報を含み、
前記排熱利用装置データベースは、排熱利用装置毎の駆動熱源、駆動温度帯、出力温度帯、出力形態、容量、効率、装置コスト及び蓄放熱機能に関する情報を含み、
ｔ：時刻，ｉ：工程番号，ｊ：排熱利用装置番号，ｘｉｎｉ（ｔ）：時刻ｔにおける工程ｉへの外部供給量，Ｐｉ：工程ｉに外部供給されるエネルギーの単価，ｂｊ：排熱利用装置ｊのバイナリ変数，ＩＣｊ：排熱利用装置ｊの導入にかかる初期費用，ＲＣｊ：排熱利用装置ｊの使用にかかるランニングコスト，ｘｒｅｉ−ｊ（ｔ）：時刻ｔにおいて排熱利用装置ｊから工程ｉへ供給される熱の再利用量，Ｍ：十分大きな正の値，Ｄｉ（ｔ）：時刻ｔにおける工程ｉの熱需要量，Ｗｉ（ｔ）：時刻ｔにおける工程ｉの排熱量，ｗｏｕｔｉ（ｔ）：時刻ｔにおける工程ｉの排熱量のうち系外へ放出される熱量，ｗｉ−ｊ（ｔ）：時刻ｔにおける工程ｉの排熱量のうち排熱利用装置ｊに投入される熱量、として、
数式（１）で示される外部供給エネルギーの最小化、又は、
【数１】
2019053546.tif 000016
数式（２）で示されるシステム全体のコストの最小化
【数２】
2019053546.tif 000017
をするために導入する排熱利用装置を前記排熱利用装置データベースに記憶されている排熱利用装置から選定することを特徴とするエネルギー供給システムの最適化装置。
【請求項４】
エネルギー供給システムの最適化プログラムであって、
熱源機器を利用した工程に関する情報を記憶した工程データベースと、導入予定の排熱利用装置に関する情報を記憶した排熱利用装置データベースと、を記憶した記憶手段にアクセス可能なコンピュータを、
前記工程データベース及び前記排熱利用装置データベースを参照して、工程間の排熱の回収、蓄熱及び利用のタイミングを考慮したエネルギーフローの最適化手法を用いて、未利用排熱量又は金銭コストを最小化するために導入する排熱利用装置を前記排熱利用装置データベースに記憶されている排熱利用装置から選定する手段として機能させることを特徴とするエネルギー供給システムの最適化プログラム。
【発明の詳細な説明】
【技術分野】
【０００１】
本発明は、エネルギー供給システムの最適化装置及び最適化プログラムに関する。
【背景技術】
【０００２】
熱源発生プラントの工程にて生成された熱エネルギーを他の建物や施設に供給し、その熱エネルギーを利用するエネルギー供給システムが知られている。例えば、都市ガス、電力及びコジェネレーション・システムからの排熱によって蒸気や温水を生成し、排熱利用装置を有する施設に供給する態様が挙げられる。
【０００３】
複数の異なる種類の熱源機器を含む熱源機器ネットワークの運転計画を最適化するためのシステムが開示されている。当該システムでは、複数の単位時間について電力需要を予測する電力需要予測部と、当該単位時間について熱エネルギーの需要を予測する熱エネルギー需要予測部と、熱源機器の各々について入出力特性を表す機器モデルを取得する機器モデル取得部と、当該単位時間について予測された電力需要及び予測された熱エネルギー需要を満足させつつ、各熱源機器の機器モデルに基づいて、当該単位時間からなる所定期間で目的関数を最適化することができる運転パターンの１つの系列を決定する運転最適化部とを含む（特許文献１）。
【０００４】
また、エネルギー需要を入力する需要入力手段と、蓄熱槽の蓄熱レベルに対応する入放熱段階を記憶する蓄熱槽入放熱段階記憶手段と、エネルギー供給設備の運転計画を決定する運転最適化手段とを備え、蓄熱槽の蓄熱量を複数の蓄熱レベルに分割し、かつ蓄熱槽入放熱量を放熱段階に分割して、各時点における各蓄熱レベルに対応するエネルギー消費コスト、ＣＯ２換算発生量及びエネルギー消費換算量の１つ以上が最小となる運転点を求める技術が開示されている（特許文献２）。
【先行技術文献】
【特許文献】
【０００５】
【特許文献１】特開２０１７−４９７５６号公報
【特許文献２】特開２００３−１１３７３９号公報
【発明の概要】
【発明が解決しようとする課題】
【０００６】
ところで、従来のシステムでは、既に設置されている機器の最適運転条件を求める最低運転計画が主目的であり、工程間の排熱回収、蓄熱、利用のタイミングを考慮した排熱利用システムの構成を構築するための手段は確立されていない。これは、エネルギーフローの計算時において、工程と排熱利用装置の接続関係を既定として前提条件を設定しているからである。
【課題を解決するための手段】
【０００７】
本発明の１つの態様は、エネルギー供給システムの最適化装置であって、それぞれ記憶装置に記憶された、熱源機器を利用した工程に関する情報を記憶した工程データベースと、導入予定の排熱利用装置に関する情報を記憶した排熱利用装置データベースと、を参照して、工程間の排熱の回収、蓄熱及び利用のタイミングを考慮したエネルギーフローの最適化手法を用いて、未利用排熱量又は金銭コストを最小化するために導入する排熱利用装置を前記排熱利用装置データベースに記憶されている排熱利用装置から選定することを特徴とするエネルギー供給システムの最適化装置である。
【０００８】
本発明の別の態様は、エネルギー供給システムの最適化プログラムであって、熱源機器を利用した工程に関する情報を記憶した工程データベースと、導入予定の排熱利用装置に関する情報を記憶した排熱利用装置データベースと、を記憶した記憶手段にアクセス可能なコンピュータを、前記工程データベース及び前記排熱利用装置データベースを参照して、工程間の排熱の回収、蓄熱及び利用のタイミングを考慮したエネルギーフローの最適化手法を用いて、未利用排熱量又は金銭コストを最小化するために導入する排熱利用装置を前記排熱利用装置データベースに記憶されている排熱利用装置から選定する手段として機能させることを特徴とするエネルギー供給システムの最適化プログラムである。
【０００９】
ここで、前記排熱利用装置データベースは、排熱利用装置の蓄放熱機能を分類して記憶しており、排熱利用装置毎の蓄放熱機能の分類による排熱の回収、蓄熱及び利用のタイミングを考慮した混合整数計画問題として未利用排熱量又は金銭コストを最小化する排熱利用装置を前記排熱利用装置データベースに記憶されている排熱利用装置から選定することが好適である。
【００１０】
また、前記工程データベースは、工程毎の１次エネルギー、エネルギー需要量、エネルギー価格、工程温度、排熱量、排熱温度、排熱形態及び再利用熱需要形態に関する情報を含み、前記排熱利用装置データベースは、排熱利用装置毎の駆動熱源、駆動温度帯、出力温度帯、出力形態、容量、効率、装置コスト及び蓄放熱機能に関する情報を含み、ｔ：時刻，ｉ：工程番号，ｊ：排熱利用装置番号，ｘｉｎｉ（ｔ）：時刻ｔにおける工程ｉへの外部供給量，Ｐｉ：工程ｉに外部供給されるエネルギーの単価，ｂｊ：排熱利用装置ｊのバイナリ変数，ＩＣｊ：排熱利用装置ｊの導入にかかる初期費用，ＲＣｊ：排熱利用装置ｊの使用にかかるランニングコスト，ｘｒｅｉ−ｊ（ｔ）：時刻ｔにおいて排熱利用装置ｊから工程ｉへ供給される熱の再利用量，Ｍ：十分大きな正の値，Ｄｉ（ｔ）：時刻ｔにおける工程ｉの熱需要量，Ｗｉ（ｔ）：時刻ｔにおける工程ｉの排熱量，ｗｏｕｔｉ（ｔ）：時刻ｔにおける工程ｉの排熱量のうち系外へ放出される熱量，ｗｉ−ｊ（ｔ）：時刻ｔにおける工程ｉの排熱量のうち排熱利用装置ｊに投入される熱量、として、数式（１）で示される外部供給エネルギーの最小化、又は、
【数１】
2019053546.tif 000003
数式（２）で示されるシステム全体のコストの最小化
【数２】
2019053546.tif 000004
をするために導入する排熱利用装置を前記排熱利用装置データベースに記憶されている排熱利用装置から選定することが好適である。
【発明の効果】
【００１１】
本発明によれば、工程間の排熱回収、蓄熱、利用のタイミングを考慮して、最適な排熱利用装置の選択を含めてエネルギー供給システムを最適化することができる。
【図面の簡単な説明】
【００１２】
【図１】本発明の実施の形態におけるエネルギー供給システムの最適化装置の構成を示す図である。
【図２】本発明の実施の形態における最適化装置を実現するコンピュータの構成を示す図である。
【図３】本発明の実施の形態における工程ＤＢの例を示す図である。
【図４】本発明の実施の形態における排熱利用装置ＤＢの例を示す図である。
【図５】本発明の実施の形態における熱源機器の最適化処理を説明する図である。
【図６】本発明の実施の形態におけるエネルギー供給システムの構成例を示す図である。
【図７】本発明の実施の形態における蓄熱及び放熱のいずれかが可能な排熱利用装置の場合のエネルギーフローの例を示す図である。
【図８】本発明の実施の形態における蓄熱及び放熱の両方が同時に可能な排熱利用装置の場合のエネルギーフローの例を示す図である。
【発明を実施するための形態】
【００１３】
本発明の実施の形態におけるエネルギー供給システムの最適化装置１００は、図１に示すように、データベース入力手段１０２、エネルギーフロー生成手段１０４及び最適フロー算出手段１０６を含んで構成される。すなわち、最適化装置１００は、データベース入力、エネルギーフロー生成及び最適フロー算出を順に行うことによってエネルギー供給関係を有するエネルギー供給システムを最適化する処理を行う。
【００１４】
最適化装置１００は、図２に示すように、処理部２０２、記憶部２０４、入力部２０６、出力部２０８及び通信部２１０を含む一般的なコンピュータ２００によって実現することができる。
【００１５】
処理部２０２は、ＣＰＵ等の演算処理を行う手段を含む。処理部２０２は、記憶部２０４に記憶されている熱源機器の最適化プログラムを実行することによって、本実施の形態における最適化装置１００を実現する。記憶部２０４は、半導体メモリ、ハードディスク等の記憶手段を含む。記憶部２０４は、処理部２０２とアクセス可能に接続され、最適化プログラム、工程データベース１０２ａ（以下、工程ＤＢという。）、排熱利用装置データベース１０２ｂ（以下、排熱利用装置ＤＢという。）等の最適化装置１００での処理に必要な情報を記憶する。入力部２０６は、コンピュータ２００に情報を入力する手段を含む。入力部２０６は、例えば、ユーザからの入力を受けるタッチパネルやキーボード等を備える。出力部２０８は、ユーザから入力情報を受け付けるためのユーザインターフェース画面（ＵＩ）等やコンピュータ２００での最適化結果を出力する手段を含む。出力部２０８は、例えば、ユーザに対して画像を呈示するディスプレイを備える。コンピュータ２００は、その機能の一部をインターネット等の通信部２１０によって外部サーバに接続されてもよい。また、コンピュータ２００は、その機能の一部を外部サーバ等にて実現してもよい。
【００１６】
データベース入力手段１０２は、最適化の対象とするエネルギー供給システムに含まれる工程に関する工程ＤＢ１０２ａ及びシステムに導入予定の排熱利用装置に関する排熱利用装置ＤＢ１０２ｂのデータ入力を受け付ける。
【００１７】
工程ＤＢ１０２ａは、図３に示すように、工程番号、工程名、１次エネルギー、エネルギー需要量、エネルギー価格、工程温度、排熱量、排熱温度、排熱形態及び再利用熱需要形態を含む
【００１８】
工程番号は、エネルギー供給システムにおける各工程を特定する識別子である。工程番号は、例えば、数字とされる。工程名は、各工程の名称である。１次エネルギーは、各工程において「都市ガス」、「蒸気」、「電力」、「エア」、「重油」等の系外から調達するエネルギーを特定する情報である。エネルギー需要量は、各工程の標準的な生産状況における時刻毎のエネルギー需要量を示す情報である。時刻は、例えば、１０分毎、３０分毎、１時間毎等とすればよい。エネルギー価格は、各工程が消費する１次エネルギーの単価を示す情報である。工程温度は、各工程がエネルギーを使用して得る代表温度を示す情報である。代表温度とは、例えば、塗装工程であれば塗装空間の温度や加熱処理工程であれば炉内温度等とされる。排熱量は、各工程の標準的な生産状況における時刻毎の排熱量を示す情報である。排熱温度は、各工程における排熱の代表温度を示す情報である。排熱形態は、各工程における排熱方法を示す情報であり、例えば、「排ガス」、「気体」、「温水」のいずれか１つとされる。再利用熱需要形態は、受け入れ可能な再利用熱の形態を示す情報であり、例えば、「気体」、「温水」の少なくとも１つされる。
【００１９】
排熱利用装置ＤＢ１０２ｂは、図４に示すように、装置番号、装置名、駆動熱源、駆動温度帯、出力温度帯、出力形態、容量、効率、装置コスト及び蓄放熱機能を含む。
【００２０】
装置番号は、エネルギー供給システムに導入予定の各排熱利用装置を特定する識別子である。装置番号は、例えば、装置毎に一意に割り当てられたアルファベットの組み合わせとされる。装置名は、排熱利用装置の名称である。駆動熱源は、各排熱利用装置で利用される熱源を示す情報であり、例えば、「排ガス」、「気体」、「温水」のいずれか１つとされる。駆動温度帯は、各排熱利用装置が回収できる排熱の温度範囲、すなわち温度の上限と下限とを示す情報である。出力温度帯は、各排熱利用装置が出力できる再利用熱の温度範囲、すなわち温度の上限と下限とを示す情報である。出力形態は、各排熱利用装置における排熱方法を示す情報であり、例えば、「気体」、「温水」のいずれか１つとされる。容量は、各排熱利用装置が回収できる排熱の最大量を示す情報である。効率は、各排熱利用装置の排熱の回収効率であり、各排熱利用装置が回収できる排熱と出力できる再利用熱の比率で表される。装置コストは、各排熱利用装置をエネルギー供給システムに導入し、運用する際に必要な費用を示す情報である。蓄放熱機能は、各排熱利用装置が有する蓄放熱機能を分類する情報である。蓄放熱機能は、例えば、蓄熱機能を備えず、蓄熱せずに放熱のみを行う排熱利用装置の場合は”０”とし、蓄熱機能を備え、蓄熱又は放熱のどちらかを行うが同時には行えない排熱利用装置の場合は”１”とし、蓄熱機能を備え、蓄熱及び放熱を同時には行うことができる排熱利用装置の場合は”２”とする。
【００２１】
データベース入力手段１０２における工程ＤＢ１０２ａ及び排熱利用装置ＤＢ１０２ｂの入力によって、図５に示すように、対象となるエネルギー供給システムにおける各工程と導入される可能性がある各排熱利用装置とが設定される。
【００２２】
エネルギーフロー生成手段１０４は、工程ＤＢ１０２ａ及び排熱利用装置ＤＢ１０２ｂを参照して、エネルギー供給システムにおける各工程と各排熱利用装置との間のエネルギーフローの関係を設定する。エネルギーフロー生成手段１０４は、各工程の排熱が各排熱利用装置に投入可能であれば工程から排熱利用装置へのフローを設定する（図５（ｂ）中、実線矢印で示す。）。すなわち、数式（論理式）（３）を満たす場合、各工程の排熱が各排熱利用装置に投入可能であれば工程から排熱利用装置へのフローを設定する。エネルギーフロー生成手段１０４は、各排熱利用装置の排熱が各工程で再利用が可能であれば排熱利用装置から工程へのフローを設定する（図５（ｂ）中、破線矢印で示す。）。すなわち、数式（論理式）（４）を満たす場合、排熱利用装置から工程へのフローを設定する。
【数３】
2019053546.tif 000005
【数４】
2019053546.tif 000006
【００２３】
最適フロー算出手段１０６は、エネルギーフロー生成手段１０４にて設定されたエネルギーフローにおいて相互に接続された工程と排熱利用装置との間でやり取りされるエネルギー量を対象に混合整数計画問題として混合整数計画法による最適化計算を行う。
【００２４】
最適化計算における目的関数は、数式（５）で示される外部供給エネルギー（未利用排熱量）の最小化、又は、数式（６）で示されるシステム全体の金銭コストの最小化とする。
【００２５】
なお、以下の数式において、ｔ：時刻，ｉ：工程番号，ｊ：排熱利用装置番号，ｘｉｎｉ（ｔ）：時刻ｔにおける工程ｉへの外部供給量，Ｐｉ：工程ｉに外部供給されるエネルギーの単価，ｂｊ：排熱利用装置ｊのバイナリ変数，ＩＣｊ：排熱利用装置ｊの導入にかかる初期費用，ＲＣｊ：排熱利用装置ｊの使用にかかるランニングコスト，ｘｒｅｉ−ｊ（ｔ）：時刻ｔにおいて排熱利用装置ｊから工程ｉへ供給される熱の再利用量，Ｍ：十分大きな正の値，Ｄｉ（ｔ）：時刻ｔにおける工程ｉの熱需要量，Ｗｉ（ｔ）：時刻ｔにおける工程ｉの排熱量，ｗｏｕｔｉ（ｔ）：時刻ｔにおける工程ｉの排熱量のうち系外へ放出される熱量，ｗｉ−ｊ（ｔ）：時刻ｔにおける工程ｉの排熱量のうち排熱利用装置ｊに投入される熱量を意味する。
【数５】
2019053546.tif 000007
【数６】
2019053546.tif 000008
【００２６】
最適化計算における制約条件として排熱利用装置の導入是非を表現するため、バイナリ変数ｂｊ（ｂｊ＝１：採用，ｂｊ＝０：不採用）を含む数式（７）を用いる。また、工程のエネルギー需要Ｄｉ（ｔ）を満たすため、外部供給ｘｉｎｉ（ｔ）と排熱の再利用量ｘｒｅｉ−ｊ（ｔ）の関係を数式（８）とする。
【数７】
2019053546.tif 000009
【数８】
2019053546.tif 000010
【００２７】
また、数式（９）に示すように、工程からの排熱量は排熱利用装置に投入されるか系外へ放出されるものとする。排熱利用装置からの放熱量も同様で、工程へ再利用熱として投入されるか系外へ放出されるとする。
【数９】
2019053546.tif 000011
【００２８】
図６は、エネルギーフローの例として、２つの工程及び２つの排熱利用装置の場合を図３に示す。図６では、使用熱量Ｄ１（ｔ）、Ｄ２（ｔ）は工程ＤＢより与えられる設定値であり、他のパラメータは全て最適化計算によって定まる未知変数である。
【００２９】
また、例えば、エネルギーフローに接続された排熱利用装置Ａが蓄放熱機能“１”または“２”を持つ場合、それぞれ図７及び図８に示すように、内部エネルギーフローを考慮する。この内部エネルギーフローでは、時刻ｔごとにスイッチ変数δＡ（ｔ）の値を定めてストレージへの蓄熱か、ストレージからの放熱か、の運転切り替えを表現している。
【００３０】
このように、最適フロー算出手段１０６にて、数式（５）で示される外部供給エネルギー、又は、数式（６）で示されるシステム全体のコストを最小化するエネルギーフローを求める。例えば、エネルギーフロー生成手段１０４にて図５（ｂ）の例のようにエネルギーフローの初期状態を設定した後、最適フロー算出手段１０６にて最適化計算を行うことによって、図５（ｃ）に示すように、工程と排熱利用装置との間のエネルギーフローを最適化することができる。
【００３１】
最適化計算によって求められたエネルギー供給システムにおける供給エネルギーの削減量ΔＥは、工程におけるエネルギー需要と外部からのエネルギー供給量の差に基づいて数式（１０）を用いて算出できる。
【数１０】
2019053546.tif 000012
【００３２】
また、システム全体のコストｃｏｓｔＴｏｔａｌは、１次エネルギー費と装置導入費と装置運用費の和であるので、数式（１１）を用いて算出できる。
【数１１】
2019053546.tif 000013
【００３３】
また、導入すべき装置として選定される排熱利用装置の種類と数は、最適フローで使用された装置であり、数式（１２）に含まれる装置として判別できる。
【数１２】
2019053546.tif 000014
【００３４】
また、装置コスト要件は、システム全体でコストメリットが得られる許容装置コストであり数式（１３）で算出できる。
【数１３】
2019053546.tif 000015
【００３５】
また、排熱装置の蓄放熱スケジュールは、最適化計算におけるパラメータとして算出できる。
【００３６】
以上のように、本実施の形態によれば、工程間の排熱回収、蓄熱、利用のタイミングを考慮して、最適な排熱利用装置の選択を含めてエネルギー供給システムを最適化することができる。すなわち、排熱の回収及び利用による供給エネルギーの削減量、エネルギー供給システム全体のコスト、導入すべき排熱利用装置の種類と数、コストメリットを得るための装置コスト要件、及び蓄熱装置の蓄放熱スケジュールを評価することができる。
【符号の説明】
【００３７】
１００  最適化装置、１０２  データベース入力手段、１０２ａ  工程データベース、１０２ｂ  排熱利用装置データベース、１０４  エネルギーフロー生成手段、１０６  最適フロー算出手段、２００  コンピュータ、２０２  処理部、２０４  記憶部、２０６  入力部、２０８  出力部、２１０  通信部。
【図１】
2019053546.tif 000018
【図２】
2019053546.tif 000019
【図３】
2019053546.tif 000020
【図４】
2019053546.tif 000021
【図５】
2019053546.tif 000022
【図６】
2019053546.tif 000023
【図７】
2019053546.tif 000024
【図８】
2019053546.tif 000025